(57)【要約】【課題】取扱い方向によって操作が困難になる操作部材に関する情報を表示部に表示する制御装置を提供すること。【解決手段】機器１に対して移動可能に取付けられ、タッチパネルが一体的に構成された表示部２３０を制御する制御装置において、前記タッチパネルへのタッチ操作を検出するタッチパネル制御部と、前記機器に対する前記表示部の位置に応じて、前記機器に配置された複数の操作部材を模した操作部材画像を前記表示部に表示する表示制御部を備える。【選択図】図４
2016048306.tif 000002
【特許請求の範囲】
【請求項１】
機器に対して移動可能に取付けられ、タッチパネルが一体的に構成された表示部を制御する制御装置において、
前記タッチパネルへのタッチ操作を検出するタッチパネル制御部と、
前記機器に対する前記表示部の位置に応じて、前記機器に配置された複数の操作部材を模した操作部材画像を前記表示部に表示する表示制御部を備える
ことを特徴とする制御装置。
【請求項２】
前記表示制御部は、前記表示部の移動された位置によって、前記機器において操作が困難になる面に配置された前記操作部材を、前記操作部材画像として表示する
ことを特徴とする請求項１に記載の制御装置。
【請求項３】
前記操作部材画像として表示されたボタンへの前記タッチ操作を、対応する前記操作部への操作として、前記機器の動作を制御する動作制御部を備える
ことを特徴とする請求項１に記載の制御装置。
【請求項４】
前記表示制御部は、前記タッチ操作が対応する操作部材への操作として前記動作制御部で取り扱われる第1の操作部材画像と、前記タッチ操作が対応する操作部材への操作として前記動作制御部で取り扱われない第２の操作部材画像を指示に応じて切換えて表示し、
さらに前記表示制御部は、前記第1の操作部材画像と第２の操作部材画像を識別可能に表示する
ことを特徴とする請求項３に記載の制御装置。
【請求項５】
前記表示制御部は、前記操作部材画像を、対応する前記操作部材が配置された前記機器の配置面に応じて、分けて表示する
ことを特徴とする請求項１に記載の制御装置。
【請求項６】
前記表示部は、撮影レンズが設けられたカメラである前記機器に取付けられ撮影画像を表示する表示部であって、通常位置として表示面が被写体と反対方向を向くよう当該カメラの背面に備えられ、
前記表示制御部は、前記表示部が前記通常位置から表示面が上面を向く位置に移動された場合には、前記カメラの背面に配置された操作部材に対応する操作部材画像を表示する
ことを特徴とする請求項１に記載の制御装置。
【請求項７】
前記表示部は、撮影レンズが設けられたカメラである前記機器に取付けられ撮影画像を表示する表示部であって、通常位置として表示面が被写体と反対方向を向くよう当該カメラの背面に備えられ、
前記表示制御部は、前記表示部が前記通常位置から表示面が被写体側に向く位置に移動された場合には、前記カメラの背面に配置された操作部材に対応する操作部材画像、又はカメラの上面に配置された操作部材に対応する操作部材画像とを表示する
ことを特徴とする請求項１に記載の制御装置。
【請求項８】
前記表示制御部は、前記表示部が前記通常位置から表示面が被写体側に向く位置は、自分撮りの撮影位置として、ミラー反転表示された撮影画像の一部に前記操作部材画像を表示する
ことを特徴とする請求項７に記載の制御装置。
【請求項９】
機器に対して移動可能に取付けられ、タッチパネルが一体的に構成された表示部を制御する制御方法において、
前記機器に対する前記表示部の位置を検知し、
前記機器に配置された複数の操作部材を模した操作部材画像を前記表示部に表示する
ことを特徴とする制御方法。
【発明の詳細な説明】
【技術分野】
【０００１】
本発明は、操作部材に関する情報を表示部に表示する制御装置に関する。
【背景技術】
【０００２】
カメラ背面に設けられた表示部を被写体方向にも向くようにして、自分撮りを簡単に行うことのできるカメラが商品化されている。しかし、カメラを自分に向けた状態では、カメラの背面や上面に配置された操作部材が見えない位置になってしまう。この状態のままで、操作部材を操作するのは難しいので、一旦カメラをひっくり返して操作を行わなければならなかった。
【０００３】
そのような不便を解消するための提案として、例えば、特許文献１には、撮影者が表示部の表示方向を変更したことを検出部が検出して、検出部の検出結果に応じて、例えば、撮像装置を操作する撮影者自身を被写体に含めた撮影に使用されるパラメータの設定値が表示部に表示される表示制御装置が開示されている。
【先行技術文献】
【特許文献】
【０００４】
【特許文献１】特開２０１３−２９６９７号公報
【発明の概要】
【発明が解決しようとする課題】
【０００５】
カメラを自分に向けた状態で、カメラの背面や上面に配置した操作部材を操作するのは難しい。このように、通常と異なる方向から機器を取扱う場合には、操作部材の操作が難しくなることが多い。
本願発明は、上記課題に鑑み、取扱い方向によって操作が困難になる操作部材に関する情報を表示部に表示する制御装置を提供することを目的とする。
【課題を解決するための手段】
【０００６】
上記目的を達成するために、機器に対して移動可能に取付けられ、タッチパネルが一体的に構成された表示部を制御する制御装置において、前記タッチパネルへのタッチ操作を検出するタッチパネル制御部と、前記機器に対する前記表示部の位置に応じて、前記機器に配置された複数の操作部材を模した操作部材画像を前記表示部に表示する表示制御部を備える。
【発明の効果】
【０００７】
本発明によれば、取扱い方向によって操作が困難になる操作部材に関する情報を表示部に表示する制御装置を提供することができる。
【図面の簡単な説明】
【０００８】
【図１】本実施形態の制御装置が適用されるカメラのブロック図である。
【図２】カメラの外観図である。
【図３】自分撮り時のカメラの正面図である。
【図４】背面コピーボタンセットを示す図である。
【図５】背面ガイドボタンセットを示す図である。
【図６】上面コピーボタンセットと上面ガイドボタンセットを示す図である。
【図７】カメラ本体の背面部を示す図である。
【図８】モニターの引出し動作を示す図である。
【図９】方向ガイドを通常撮影時と自分撮りモードを対比して説明する図である。
【図１０】自分撮りモードで、動作を変更する例を説明する図である。
【図１１】ＸＹボタン及びコントロールダイヤルの操作に対する表示方向の切換えを説明する図である。
【図１２】組写真撮影時の表示を切換える例を説明する図である。
【図１３】モニターの回転方向の異なる２種のカメラを示す図である。
【図１４】モニターの位置に応じた操作部材画像の表示処理の手順を説明するフローチャートである。
【図１５】モニターの角度に応じて自分撮り設定を行う手順を説明するフローチャートである。
【図１６】自分撮り設定を詳細に説明するサブルーチンである。
【図１７】自分撮りでのタッチパネル操作を説明するフローチャートである。
【図１８】ＡＦ動作の手順を説明するフローチャートである。
【図１９】ＡＦ実行処理の手順を説明するサブルーチンである。
【図２０】ＡＦ動作を模式的に表したグラフである。
【図２１】顔検出の初期化の手順を説明するフローチャートである。
【図２２】設定した条件に応じた顔検出処理の手順を説明するフローチャートである。
【図２３】自動シーン判定処理の手順を説明するフローチャートである。
【図２４】セルフタイマー撮影処理の手順を説明するフローチャートである。
【発明を実施するための形態】
【０００９】
以下、図面に従って本発明の実施形態を説明する。また、以下では、本実施形態の制御装置が搭載される機器を、カメラを例にして説明する。また以下では、カメラの表示部を回転して、表示面を被写体側に向けた位置（状態）での撮影を「自分撮り」あるいは「自分撮りモード」と称し、通常の撮影スタイルを「通常撮影時」と称する。
【００１０】
<カメラの構成の説明>
図１は、本実施形態の制御装置が適用されるカメラ１のブロック図である。カメラ１は、レンズ部２とカメラ本体４から構成される。レンズ部２とカメラ本体４は、通信ラインを通じてデータの授受が相互に行われる。なお、カメラ１としてレンズ交換式カメラを例に説明するが、これに限定されるものではない。
【００１１】
レンズ部２は、撮影レンズ２０、絞り２２、フォーカスリング２４、ズームリング２６、回転検出部２８、レンズ制御部３０、レンズ位置検出部３２、レンズ駆動部３４、絞り制御部３６を有する。
【００１２】
撮影レンズ２０は複数のレンズからなり、ズーミング（焦点距離変更）とフォーカシング（合焦位置変更）が可能である。絞り２２は撮影レンズ２０に入射した光束を制限し、撮像への光量を調整する機構である。
【００１３】
フォーカスリング２４は、撮影レンズ２０の中のフォーカスレンズ（不図示）を移動させるようレンズ制御部３０へ指示する指示部材である。ズームリング２６は、撮影レンズ２０の中のズームレンズ（不図示）を移動させるようレンズ制御部３０へ指示する指示部材である。
【００１４】
回転検出部２８は、フォーカスリング２４及びズームリング２６について、それぞれ回転量及び回転方向を検出するものである。レンズ制御部３０は、レンズ部２全体の制御を司り、カメラ本体４とインターフェイス(不図示)を通じて情報のやり取りを行うものである。レンズ位置検出部３２は、フォーカスレンズ及びズームレンズの位置を検出する。レンズ駆動部３４は、レンズ制御部３０の指示に基づき、フォーカスレンズ及びズームレンズを駆動するアクチュエータで、例えば、ステップモータやＤＣモータである。
【００１５】
レンズ制御部３０は、フォーカスレンズ及びズームレンズを検出結果に見合った方向・移動量に、レンズ駆動部３４を駆動して、フォーカシング及びズーミングを行う。また、レンズ位置検出部３２は、インターフェイスを介して、検出したレンズの位置をカメラ本体４に通知する。絞り制御部３６はカメラ本体４からの指示に従って、絞りの径を調整する。尚、通信機能を持たないタイプのレンズも装着が可能である。
【００１６】
カメラ本体４は、カメラ本体制御部４０、メモリ４２、シャッター４４、撮像部４６、撮像制御部４８、画像処理部５０を有する。
【００１７】
カメラ本体制御部４０は、カメラ本体全体を統括的に制御するものである。カメラ本体制御部４０は、ＣＰＵを有し、メモリ４２から読込んだ制御プログラムを実行するＣＰＵによるソフトウェア処理により、各制御処理を実行する。
【００１８】
メモリ４２には、予めカメラ全体を制御する為のプログラムや、制御データが格納されている他、画像データや中間データの一時保存、画像処理用のバッファメモリとしても使用される。メモリ４２には、後述する操作部材画像（背面コピーボタンセット５００ｃ等）や方向ガイドに関する画像データも記憶される。また、図示していないＳＤカード等の外部メモリへの書き出し、読み込み用のバッファとして使用してもよい。
【００１９】
シャッター４４は撮像部４６の撮像素子の全面に配置された、所謂フォーカルプレーンシャッターであり、先幕と後幕からなる。通常は、開放状態で撮影レンズ２０、絞り２２を通した被写体像を撮像素子に導く。シャッター４４は、シャッター開始指示に応答して、一旦先幕を閉じた後、再び開放し、狙いの露出秒時が経過したところで、後幕を閉じる。露出が終了した後は、再び開放する。
【００２０】
撮像部４６は、ＣＣＤ、Ｃ−ＭＯＳセンサ等の二次元に配置された撮像素子（不図示）を有する。撮像部４６は、撮影レンズ２０、絞り２２、シャッター４４を通して入射されて被写体像を光電変換し、更にＡ／Ｄ変換し、各画素に応じたデジタルの画像データとして出力する。撮像制御部４８は、カメラ本体制御部４０の指示に従い、撮像部４６を駆動する。
【００２１】
画像処理部５０は、撮像部４６からの画像データを処理し、ライブビュー画像を生成する。また、画像処理部５０は、撮影時には保存用の画像データを生成するほか、動画データを生成する。さらに、画像処理部５０は、メモリ４２に格納された画像データを再生する為の画像データ変換を行う。また、画像処理部５０は、自分撮りモードでは、ライブビュー画像として、左右を反転したミラー反転（鏡像）画像を出力する。
【００２２】
カメラ本体４は、ぶれ補正機構５２、ぶれ検出部５４、ぶれ補正制御部５６を有する。ぶれ補正機構５２は、モータ等により、二次元にシフト、及び、回動が可能な構造である。ぶれ補正機構５２は、その駆動により機構上に配された撮像素子のシフト駆動及び回転駆動を行う。
【００２３】
ぶれ検出部５４は、角速度センサあるいは加速度センサ等よりなり、カメラ本体４のぶれを検出して、ぶれ信号を出力する。ぶれ補正制御部５６は、ぶれ検出部５４からのぶれ信号に基づき、撮像素子上に結像した画像の位置が一定であるように、ぶれ補正機構（撮像）をシフト駆動、回転駆動する。
【００２４】
カメラ本体４は、ＡＦ（オートフォーカス）制御部５８、ＡＦ補助光／セルフ発光部１１０、露出制御部６２、シャッター制御部６４、フラッシュ６６、顔検出部６８を有する。ＡＦ制御部５８は、所謂コントラストＡＦを司る。ＡＦ制御部５８は、撮像部４６からの被写体の画像データに基づき、被写体像が撮像上に結像するように、フォーカスレンズを駆動を制御する。
【００２５】
ＡＦ補助光／セルフ発光部１１０は、ＡＦ制御部５８からの指示に従い、低輝度時にフォーカス検出を補助する為に、被写体を照明する。また、ＡＦ補助光／セルフ発光部１１０は、点灯、点滅（周期を変更）することで、セルフタイマーの作動状態を離れた撮影者に知らしめる役割も担う。ＡＦ補助光／セルフ発光部１１０は、電流制限回路（デューティー駆動による調光量でも可）による光量調節も可能である。
【００２６】
露出制御部６２は、カメラのモード設定に従い、撮像部４６からの出力による被写体輝度情報から、適正な露出量を得る為の、絞り、シャッタースピード、感度を算出する。露出制御部６２は、適正露出量算出には、適宜顔検出情報を用い、また、必要に応じてフラッシュ発光量の算出も行う。シャッター制御部６４は、算出されたシャッタースピードに応じて、シャッター４４の開閉を制御する。
【００２７】
フラッシュ６６は、Xe管、ＬＥＤ等の発光部、制御部等からなり、ホットシューに取り付けられる。フラッシュ６６は、ホットシューに設けられた通信ラインにより、カメラ本体４とのデータのやり取りを行う。フラッシュ６６は、カメラ本体４からの指示による発光量、発光タイミングで発光する。また、フラッシュ６６は、所謂バウンス機構を有し、発光部の角度を変えることが可能である。
【００２８】
カメラ本体制御部４０は、露出制御部６２により算出された結果に基づき、レンズ制御部３０を介して絞り２２を制御し、また、シャッター制御部６４を介してシャッター４４を制御し、適正な被写体光を適正な時間で撮像素子に導く。
【００２９】
顔検出部６８は、入力した被写体像と予め決められた顔パターンとを比較し、被写体の顔を検出する。さらに、検出した顔領域の分析により、目、口 等の器官検出も行う。
【００３０】
カメラ本体４は、ファインダー７０、モニター２３０、位置検出部７４、表示制御部７６、操作部材７８、検出部８０、タッチパネル制御部８２を有する。ファインダー７０は、所謂ＥＶＦ（Electronic View Finder）であり、液晶あるいはＯＬＥＤ（Organic Light Emitting Diode）等の表示部、接眼レンズ、アイセンサー等を有する。ファインダー７０は、通信ラインを介してカメラ本体４に取り付け可能で、モニターと同等の表示が可能である。また、ファインダー７０は、アイセンサー（不図示）により、モニター２３０との表示切り換えを可能にしてもよい。
【００３１】
モニター２３０は、液晶あるいはＯＬＥＤ等の表示部、タッチパネル等を有する。モニター２３０は、カメラ本体４にヒンジ等で回転可能に取り付けられ、ライブビュー、再生画像、その他の情報を表示する。モニター２３０は、表示部とも称す。
【００３２】
位置検出部７４は、モニター２３０の回転状態を検出して、回転状態をカメラ本体制御部４０に通知するものである。位置検出部７４は、モニター２３０の回転中にパルス信号を発生する。位置検出部７４は、回転状態として、少なくともカメラ本体４の背面に格納された位置、背面から引き出された位置、自分撮り位置を検出する。
【００３３】
表示制御部７６は、ライブビューや再生画像を表示する為に、ファインダー７０、モニター２３０を制御する。表示制御部７６は、他に、カメラの設定情報、露出情報などのＯＳＤ（on-screen display）表示を画像に重畳表示する。
【００３４】
また、本実施形態においては、表示制御部７６は、カメラ本体４に対するモニター２３０の角度に応じて、カメラ本体４に配置された操作部材７８を模した操作部材画像をモニター２３０に表示する。
【００３５】
操作部材７８は、二段式のシャッターボタン、十字ボタン、モードダイヤル、コントロールダイヤル等を有する。操作部材７８の詳細は、図２で説明する。操作部材７８を、操作部材群とも呼ぶ。検出部８０は、操作部材７８に対する操作状態を読み込み、カメラ本体制御部４０に通知する。
【００３６】
モニター２３０の表面には、静電容量の変化等によりタッチを検出可能なタッチパネル８４が配される。タッチパネル制御部８２は、タッチパネル８４上における、タッチ、タップ、フリック等の操作及びその位置を検出して、カメラユーザー（撮影者）によるタッチ動作を検出し、カメラ本体制御部４０に通知する。
【００３７】
また、本実施形態においては、カメラ本体制御部４０は、モニター２３０上に操作部材画像として表示され各種ボタンに対して、タッチ動作がタッチパネル制御部８２により検出された場合に、対応する操作部材７８への操作として、対応する動作を実行・制御する。カメラ本体制御部４０は、動作制御部とも称す。
【００３８】
図２は、カメラ１の外観図である。図２の左上がカメラ１の背面図で、図２の右上がカメラ１の正面図で、図２の左下がカメラ１の上面図である。
【００３９】
カメラ１の正面部１００の中央からやや右寄りの位置に、撮影レンズ２０が取付けられる。また、カメラ１の正面部１００の右上隅には、ＡＦ補助光／セルフ発光部１１０が設けられる。
【００４０】
カメラ１の背面部２００にモニター２３０が設けられる。カメラ１の背面部２００の約右１／３の領域に、動画ボタン２１０、ＭＥＮＵボタン２１２、ＩＮＦＯボタン２１４、ＸＹボタン２１６、ＯＫボタン２１８、再生ボタン２２０、電源スイッチ２２２が設けられる。
【００４１】
動画ボタン２１０は、動画撮影の実行を指示するボタンである。ＭＥＮＵボタン２１２は、設定用のメニュー画面を呼びだすためのボタンである。ＩＮＦＯボタン２１４は、撮影時の情報表示を切換えるためのボタンである。ＸＹボタン２１６は、画像の１コマ送りや、画面上でカーソルの移動を指示するボタンである。ＯＫボタン２１８は、設定条件等を確定するボタンである。再生ボタン２２０は、メモリ４２に記録された撮影画像の再生を指示するボタンである。電源スイッチ２２２は、カメラ１の電源のオンオフを指示するボタンである。
【００４２】
カメラ１の上面部３００の右側に、撮影モードダイヤル３１０、コントロールダイヤル３１２、ホットシュー３３０が設けられる。さらに、コントロールダイヤル３１２の中央にはシャッターボタン３１４が設けられる。撮影モードダイヤル３１０は、撮影モードを選択するためのダイヤルである。
【００４３】
撮影モードとしては、カメラが撮影シーンに合わせて最適な撮影モードを自動設定するオートモード（ＡＵＴＯと表示）、絞りとシャッター速を自動設定するプログラムモード（Ｐと表示）等が選択できる。コントロールダイヤル３１２は、各種条件を切換えるためのダイヤルである。ホットシュー３３０は、フラッシュ６６を取付けるための台座である。
【００４４】
<自分撮りモードでの操作部材画像表示>
図３は、自分撮りモードでのカメラの正面図である。モニター２３０が下方に倒されて被写体側に向けた状態に回転されたことを検出して、カメラ本体制御部４０により、カメラ１は「自分撮りモード」に設定される。そして、カメラ本体制御部４０の指示により、ライブビューとして、モニター２３０に左右が反転されたミラー反転画像が表示される。
【００４５】
自分撮りモードでは、デフォルトで、モニター２３０には、自分撮りボタンがセットで表示される。自撮りボタンセット４００は、美肌ボタン４０２ａ、シャッターボタン４０４ａ、セルフボタン４０６ａを有する。美肌ボタン４０２ａは、撮影モードを肌色がきれいに撮影されるに美肌モードに設定するボタンである。美肌モードは、自分撮りモードでの使用頻度が高いからである。
【００４６】
シャッターボタン４０４ａは、上面部３００に設けられたシャッターボタン３１４の代わりに撮影を指示するボタンである。自分撮りの姿勢では、上面部３００のシャッターボタン３１４は押しづらいからである。セルフボタン４０６ａは、一定時間後に撮影を実行させるボタンである。自分撮りモードでは、セルフタイマー撮影にした方が、カメラの姿勢が安定して、手ブレも起きにくいからである。
【００４７】
また、モニター２３０の画面右下隅には、ＤＩＳＰボタン４１０が表示される。ＤＩＳＰボタン４１０は、自分撮りモードで、モニター２３０に表示される各種ボタンを切換えるためのボタンである。図３（Ａ）は、美肌ボタン４０２ａ、セルフボタン４０６ａがオフの状態である。美肌ボタン４０２ａ、セルフボタン４０６ａの各ボタンがタッチされるとオンになり、図３（Ｂ）に示すように、表示が変化する。
【００４８】
また、シャッターボタン３１４がタッチされると、シャッター操作を受け付けたことを撮影者に示す為に、図３（Ａ）から図３（Ｂ）のように、表示が変化し、撮影が実行された後、図３（Ａ）の表示形態に戻る。受け付けたことが告知されるので、何度もタッチしてしまうことを防ぐことができる。ＤＩＳＰボタン４１０は、常にオンである。
【００４９】
図４は、モニター２３０へ表示される背面コピーボタンセット５００ｃを示す図である。図３で、ＤＩＳＰボタン４１０が押下されると、モニター２３０に表示されるボタンが、自撮りボタンセット４００から、背面コピーボタンセット５００ｃに切換る。
【００５０】
背面コピーボタンセット５００ｃは、背面部２００に設けられた主な操作部材７８をコピーして、モニター２３０に表示されるボタンである。背面コピーボタンセット５００ｃは、背面部２００に設けられた主な操作部材７８のボタン形状や配置を模して表示される。「自分撮りモード」では、背面部２００に設けられた操作部材７８を操作することは難しいからである。
【００５１】
背面コピーボタンセット５００ｃは、ＭＥＮＵボタン２１２ｃ、ＩＮＦＯボタン２１４ｃ、
ＸＹボタン２１６ｃ、ＯＫボタン２１８ｃ、再生ボタン２２０ｃを有する。ＭＥＮＵボタン２１２ｃ、ＩＮＦＯボタン２１４ｃ、ＸＹボタン２１６ｃ、ＯＫボタン２１８ｃ、再生ボタン２２０ｃは、それぞれ、操作部材７８のＭＥＮＵボタン２１２、ＩＮＦＯボタン２１４、ＸＹボタン２１６、ＯＫボタン２１８、再生ボタン２２０と同等なボタンで、タッチ操作により、対応する各機能が実行される。
【００５２】
また、モニター２３０に背面コピーボタンセット５００ｃが表示された場合、モニター２３０に表示されたボタンが背面部２００の操作部材７８であることを、明示するために、モニター２３０左下隅に、「背面」が表示されるようにしてもよい。
【００５３】
なお、モニター２３０に背面コピーボタンセット５００ｃが表示された場合には、背面部２００の操作部材７８である、ＭＥＮＵボタン２１２ｃやＩＮＦＯボタン２１４ｃ等のボタンへの押下を、カメラ本体制御部４０が無効にするようにしてもよい。また、カメラ本体制御部４０は、背面部２００の操作部材７８とモニター２３０のボタンの両方を有効としてもよい。
【００５４】
図５は、モニター２３０へ表示される背面ガイドボタンセット５００ｇを示す図である。図４の状態で、ＤＩＳＰボタン４１０が押下されると、モニター２３０に表示されるボタンが、背面コピーボタンセット５００ｃから、背面ガイドボタンセット５００ｇに切換る。
【００５５】
背面ガイドボタンセット５００ｇは、背面部２００の主な操作部材７８のボタン形状と配置をモニター２３０に表示するものである。背面ガイドボタンセット５００ｇは、背面部２００の主な操作部材７８の配置を示すだけで、タッチ操作されても、対応する機能は実行されない。背面部２００に設けられた操作部材７８を、ブラインドで操作することは難しいからである。さらに、操作部材７８が操作されるのに連動して、対応する背面ガイドボタンの色を変える等、その表示形態を変更することで、ブラインド操作を確認できるようにしてもよい。なお、ＤＩＳＰボタン４１０は、有効である。
【００５６】
背面ガイドボタンセット５００ｇは、ＭＥＮＵボタン２１２ｇ、ＩＮＦＯボタン２１４ｇ、ＸＹボタン２１６ｇ、ＯＫボタン２１８ｇ、再生ボタン２２０ｇを有する。
【００５７】
また、背面ガイドボタンセット５００ｇは、表示対象が背面部２００のボタンを想起させるように、背面部２００で操作部材７８が配置された側であるモニター２３０の左側に表示される。さらに、背面ガイドボタンセット５００ｇの各ボタンは、背面コピーボタンセット５００ｃの各ボタンと識別可能に表示される。例えば、図５では、背面ガイドボタンセット５００ｇの各ボタンの外周を破線で構成する例を示すが、色や形で区別してもよい。ＤＩＳＰボタン４１０は、右下隅に表示される。
【００５８】
また、背面コピーボタンセット５００ｃの表示と同様に、モニター２３０左下隅に、「背面」と表示するようにしてもよい。
【００５９】
図６は、モニター２３０へ表示される上面コピーボタンセット５１０ｃと上面ガイドボタンセット５１０ｇを示す図である。ＤＩＳＰボタン４１０が押下されると、モニター２３０に表示されるボタンが、背面ガイドボタンセット５００ｇから、上面コピーボタンセット５１０ｃに切換る。
【００６０】
上面コピーボタンセット５１０ｃは、上面部３００に設けられた主な操作部材７８をコピーして、モニター２３０に表示されるボタンである。背面部２００の操作部材７８の場合と同様に、「自分撮りモード」では、上面部３００に設けられた操作部材７８も操作することは難しいからである。
【００６１】
上面コピーボタンセット５１０ｃは、ＡＦボタン３１６ｃ、ＷＢボタン３１８ｃを有する。ＡＦボタン３１６ｃ、ＷＢボタン３１８ｃは、それぞれ操作部材７８のＡＦボタン３１６、ＷＢボタン３１８を模した形状で、同等なボタンである。
【００６２】
また、モニター２３０に上面コピーボタンセット５１０ｃが表示された場合、モニター２３０に表示されたボタンが上面部３００の操作部材７８であることを、明示するために、モニター２３０左下隅に、「上面」と表示するようにしてもよい。これまでと同様に、ＤＩＳＰボタン４１０は、右下隅に表示される。
【００６３】
また、背面コピーボタンセット５００ｃの場合と同じく、上面コピーボタンセット５１０ｃの表示時には、対応する上面部３００の操作部材７８への操作を無効にしても良いし、上面コピーボタンセット５１０ｃと上面部３００の操作部材７８の両方を有効にしてもよい。
【００６４】
また、図６の下に、上面ガイドボタンセット５１０ｇが表示されたモニター２３０を示す。ＤＩＳＰボタン４１０が押下されると、上面コピーボタンセット５１０ｃから、上面ガイドボタンセット５１０ｇに切換る。上面ガイドボタンセット５１０ｇは、撮影モードダイヤル３１０ｇ、ＡＦボタン３１６ｇ、ＷＢボタン３１８ｇを有する。撮影モードダイヤル３１０ｇは、撮影モードダイヤル３１０の回転操作に連動して回転表示される。
【００６５】
上面ガイドボタンセット５１０ｇは、背面ガイドボタンセット５００ｇと同様に、上面部３００の主な操作部材７８の配置をモニター２３０に表示するものである。上面ガイドボタンセット５１０ｇは、上面部３００の主な操作部材７８の配置を示すだけで、タッチ操作されても無効である。上面ガイドボタンセット５１０ｇの各ボタンは、上面コピーボタンセット５１０ｃの各ボタンと識別可能に表示され、本例では、外周を破線で構成する例を示す。
【００６６】
なお、自撮りボタンセット４００、背面コピーボタンセット５００ｃ、背面ガイドボタンセット５００ｇ、上面コピーボタンセット５１０ｃ、上面ガイドボタンセット５１０ｇを、まとめて操作部材画像とも称す。
【００６７】
以上のように、本実施形態においては、表示制御部７６は、モニター２３０の移動された位置によって、カメラ本体４において操作が困難になる面に配置された操作部材７８を、操作部材画像として表示する。また、表示制御部７６は、操作部材画像を、対応する操作部材７８が配置されたカメラ本体４の配置面に応じて、分けて表示する。
【００６８】
また、表示制御部７６は、タッチ操作が対応する操作部材７８への操作としてカメラ本体制御部４０で有効に取り扱われる操作部材画像（第1の操作部材画像とも称す）と、タッチ操作が対応する操作部材への操作としてカメラ本体制御部４０で取り扱われない（無効とされる）操作部材画像（第２の操作部材画像とも称す）を、指示に応じて切換えて表示する。
【００６９】
自撮りボタンセット４００、背面コピーボタンセット５００ｃ、上面コピーボタンセット５１０ｃが第1の操作部材画像に対応する。背面ガイドボタンセット５００ｇ、上面ガイドボタンセット５１０ｇが、第２の操作部材画像に対応する。そして、表示制御部７６は、第１と第２の操作部材画像を識別可能に表示する。以上により、取扱い方向によって操作が困難になる操作部材に関する情報をモニター２３０に表示するカメラを提供することができる。
【００７０】
図７は、カメラ本体４の背面部２００を示す図である。背面部２００のモニター２３０の上端の左右には、モニター指掛かり２３２が設けられる。モニター指掛かり２３２は、背面部２００からモニター２３０を引き出して回転させる際に、指を入れるための凹部である。
【００７１】
モニター２３０のタッチパネルには、破線で示すタッチ領域２３０ａが設定される。タッチパネル制御部８２により、タッチ領域２３０ａの内側へのタッチが有効と判定される。また、タッチ領域２３０ａの更に内側に、グレーの範囲で示されるタッチ無効領域２３０ｂが設定される。タッチパネル制御部８２は、回転操作時に限り、タッチ無効領域２３０ｂへのタッチを無効にする。
【００７２】
図８は、モニター２３０の引出し動作を示す図である。図８に示すように、モニター２３０を引き出す時には、モニター２３０のタッチパネル面に指が触れることがある。モニター２３０の引出時に、タッチ領域２３０ａ内側に指を触れないようにして行うのは難しい。
【００７３】
そのため、図７に示すように、モニター２３０の回転操作時に限り、タッチ領域２３０ａの更に内側に、グレーの範囲で示されるタッチ無効領域２３０ｂが設定される。タッチ無効領域２３０ｂが設定されることで、モニター２３０の回転操作時に、うっかり何れかのアイコンにタッチして、意図せずに撮影条件が切換ることが防止される。
【００７４】
<自分撮りモードでの、方向ガイド表示>
次に、自分撮りモードでの方向ガイドについて説明する。カメラ１では、ズームリング２６やフォーカスリング２４の回動方向とパラメータの増減関係を示すために、モニター２３０に方向ガイドが表示される。しかし。自分撮り時には、カメラ１に対する撮影者の姿勢が通常撮影時と変わり、左右方向が逆になるため、同じ方向ガイドを表示すると。操作に混乱を招くおそれがある。これを防止するための処理を、以下に説明する。
【００７５】
図９は、モニター２３０に表示される方向ガイドを通常撮影時と自分撮りモードを対比して示す図である。図９の左列が通常撮影時の表示例で、右列が自分撮りモードでの表示例である。通常撮影時及び自分撮りモード時ともに、モニター２３０の上部には、方向ガイドが表示される。図９の一番上の欄に、方向ガイドの表示例として、ＴＥＬＥ／ＷＩＤＥの回動方向として、通常撮影時の方向ガイド６００ａと、自分撮りモードの方向ガイド６００ｂを示す。
【００７６】
方向ガイドの中で、左右方向の属性を備える項目につき、自分撮りモードでは、表示制御部７６により、通常撮影時に対して「左右」を反転した表示が行われる。以下では、ズームリング２６の操作ガイド（ＴＥＬＥ／ＷＩＤＥ）、フォーカスリング２４の方向ガイド（∞／Ｃｌｏｓｅ）、顔優先ＡＦ（左右瞳選択）の例を説明する。
【００７７】
まず、ズームリング２６の方向ガイド（ＴＥＬＥ／ＷＩＤＥ）を説明する。通常撮影時には、動作の欄に示すように、撮影者から見て、ズームリング２６の反時計回りの操作により、焦点距離がＴＥＬＥ方向に変化し、時計回りの操作により、ＷＩＤＥ方向に変化するものとする。そして、通常撮影時に撮影者側から見たズームリング２６の回転方向と焦点距離の変化方向を対応させた方向ガイド６００ａ（左にＴＥＬＥ、右にＷＩＤＥ）が、モニター２３０に表示される。
【００７８】
自分撮りモードでは、動作の欄に示すように、撮影者から見た回転方向が逆になるので、表示制御部７６により、逆の方向ガイド６００ｂ（左にＴＥＬＥ、右にＷＩＤＥ）が表示される。
【００７９】
次に、フォーカスリング２４の方向ガイド（∞／Ｃｌｏｓｅ）を説明する。通常撮影時には、動作の欄に示すように、撮影者から見て、フォーカスリング２４の反時計回りの操作により、ピントが無限遠方向に移動し、時計回りの操作により、近接方向に移動するものとする。通常撮影時には、この方向に対応する方向ガイド６１０ａ（左に∞、右にＣｌｏｓｅ）が表示される。自分撮りモードでは、動作の欄に示すように、撮影者から見た回転方向が逆になるので、表示制御部７６により、逆の方向ガイド６１０ｂ（左にＣｌｏｓｅ、右に∞）を表示する。
【００８０】
次に、顔優先ＡＦ時の瞳の位置選択の表示の例を説明する。左右いずれの瞳にピントを合わせるかが、ＡＦ瞳ガイドにより選択される。ここでの瞳の左右は、被写体を基準とした左右ではなく、撮影者から見た左右とする。
【００８１】
通常撮影時に、撮影者から見て右目（被写体では左目）にピントを合わせる場合には、ＸＹボタン２１６の左右ボタンで、表示欄に示すように、「ｉＲ」が表示されたＡＦ瞳ガイド６２０ａを選択して、撮影を行えばよい。「ｉＬ」が表示されたＡＦ瞳ガイド６２０ｂが選択された場合には、撮影者から見て左目に合焦される。
【００８２】
左右の選択に応じて、ＡＦ制御部５８が、顔検出部６８で検出された顔の選択された方の瞳にピントを合わせる。そして、撮影時には、画像６３０ａに示すように、撮影者から見て被写体の右側の目に合焦位置を示す枠が表示される。
【００８３】
自分撮りモードで、通常撮影時とは逆に、「ｉＬ」のＡＦ瞳ガイド６２０ｂが表示された場合に、ＡＦ制御部５８は、被写体（撮影者）の左目にピントを合わせるようにする。つまり、ＡＦ瞳ガイド６２０ｂの表示時に、撮影者から見て被写体（自分）の左側の目にピントが合うよう設定される。そして、撮影時には、ミラー反転画像である画像６３０ｂに示すように、撮影者から見て被写体の左側の目に合焦位置を示す枠が表示される。このような表示をすることで、自分撮りモードでも、通常撮影時と同様に、撮影者から見た方向を基準として、合焦位置の左右が選択され、操作感の連続性が保たれる。
【００８４】
以上のように、方向ガイド表示で、通常撮影時に対して自分撮りモードで、「左右」を反転表示することで、自分撮りモードでも、表示と動作を一致させることができる。
【００８５】
前述のように、カメラ本体制御部４０は位置検出部７４からの信号により、モニター２３０の位置を検出して自分撮りモードであるかを判断し、自分撮りモードである場合には、カメラ本体制御部４０は表示制御部７６に、左右反転した方向ガイド６００ｂやＡＦ瞳ガイド６２０ｂの表示を指示する。
【００８６】
図１０は、自分撮りモードで、図９のような方向ガイドの変更を行わずに、カメラの「動作」を変更する例を説明する図である。以下では、図９と同様に、ズームリング２６の操作ガイド（ＴＥＬＥ／ＷＩＤＥ）、フォーカスリング２４の方向ガイド（∞／Ｃｌｏｓｅ）、顔優先ＡＦ（左右瞳選択）の例を説明する。
【００８７】
ズームリング２６の方向ガイド（ＴＥＬＥ／ＷＩＤＥ）から説明する。図９で説明したように、自分撮りモードでは、撮影者（自分）から見た、焦点距離変化に対するズームリング２６の回転方向は逆になる。そこで、方向ガイド６００ａを通常撮影時と同等な内容の表示とし、ズームリング２６の回転方向に対する焦点距離の変化方向を逆にする。
【００８８】
フォーカスリング２４の方向ガイド（∞／Ｃｌｏｓｅ）についても、同様である。方向ガイド６１０ａの表示はそのままにして、フォーカスリング２４の回転方向に対するピントの移動方向を逆にする。
【００８９】
つまり、ズームリング２６及びフォーカスリング２４の操作時に、自分撮りモードでは、カメラ本体制御部４０がレンズ制御部３０に逆方向の制御を指示する。そして、レンズ制御部３０が、回転検出部２８により得られた回転量と方向から、焦点距離やピント移動方向を通常撮影時と逆になるように制御する。これにより、通常撮影時と同じ内容の方向ガイドを表示しても、撮影者は、自然な操作をすることができる。
【００９０】
顔優先ＡＦ時の瞳の位置選択の表示の例を説明する。図９と同様に、通常撮影時は、「ｉＲ」のＡＦ瞳ガイド６２０ｃを表示させた場合には、撮影者から見て右目（被写体では左目）が合焦位置になる。
【００９１】
自分撮りモードでは、「ｉＲ」が表示されたＡＦ瞳ガイド６２０ｄが選択された場合に、撮影者から見て右目（被写体でも右目）が合焦位置になる。撮影時には、ミラー反転画像である画像６３０ｄに示すように、撮影者から見て被写体の右側の目に合焦位置を示す枠が表示される。
【００９２】
以上のように、通常撮影時に対して自分撮りモードで、方向ガイド表示を変えないで、カメラの「動作」を逆にすることで、自分撮りモードでも、表示と動作を一致させることができる。
【００９３】
図１１は、自分撮りモードで、ＸＹボタン２１６及びコントロールダイヤル３１２の操作に対する表示方向の切換えを説明する図である。左列が通常撮影時の例で、右列が自分撮りモードの例である。
【００９４】
通常撮影時の操作の欄には、カメラ１を背面方向から見た図を示す。通常撮影時の操作の欄に示すように、ＸＹボタン２１６の左右ボタン又はコントロールダイヤル３１２の操作で、モニター２３０上で、各種撮影条件の設定が行われる。設定される各種撮影条件の画面例として、通常撮影時の動作欄に、ＡＦターゲット設定６５０ａ、ＡＦ方式選択６６０ａ、絞り設定６７０ａの各画面を示す。
【００９５】
ＡＦターゲット設定６５０ａでは、ＸＹボタン２１６の右ボタン（Ｐ）の押下またはコントロールダイヤル３１２の時計方向回転（Ｐ）の操作が検知されると、ＡＦターゲットは右方向（Ｐ）に移動される。ＸＹボタン２１６の左ボタン（Ｑ）の押下またはコントロールダイヤル３１２の反時計方向回転（Ｑ）の操作が検知されると、ＡＦターゲットは左方向（Ｑ）に移動される。
【００９６】
ＡＦ方式選択６６０ａも同様に、ＸＹボタン２１６の右ボタン（Ｐ）の押下またはコントロールダイヤル３１２の時計方向回転（Ｐ）の操作により、選択項目が右方向に移動する。ＸＹボタン２１６の左ボタン（Ｑ）の押下またはコントロールダイヤル３１２の反時計方向回転（Ｑ）の操作により、選択項目が左方向（Ｑ）に移動する。絞り設定６７０ａについても、同様である。
【００９７】
自分撮りモードでは、カメラ１に対する撮影者の姿勢が通常撮影時と左右逆になる。そこで、操作部材７８における左右操作に対する表示の移動方向を逆にする。自分撮りモードの操作の欄のカメラ１は、カメラ１を正面側から見た図である。ＸＹボタン２１６は、透視した状態で示す。
【００９８】
ＡＦターゲット設定画面６５０ｂでは、ＸＹボタン２１６の右ボタン（Ｐ）の押下またはコントロールダイヤル３１２の時計方向回転（Ｐ）の操作が検知されると、ＡＦターゲットは右方向（Ｐ）に移動される。ＡＦ方式選択６６０ｂ及び絞り設定６７０ｂも同様に、ＸＹボタン２１６及びコントロールダイヤル３１２の操作に対応する表示の移動方向を通常撮影時と逆にする。自分撮りモードでは、カメラ本体制御部４０が、ＸＹボタン２１６の左右及びコントロールダイヤル３１２の回転方向につき、検出部８０からの指示を左右逆にして処理を行う。
【００９９】
自分撮り時に、通常撮影時と画面上での移動方向を逆にすることで、ＸＹボタン２１６及びコントロールダイヤル３１２の操作とモニター２３０上の移動方向を一致させることができ、自分撮り時の姿勢での操作上の違和感を無くすことができる。
【０１００】
図１２は、自分撮りモードで、組写真撮影時の表示を切換える例を説明する図である。
組写真撮影とは、複数撮影した静止画を合成して１枚の画像を作成する撮影である。組写真撮影では、撮影の途中で、既に撮影した画像が現ライブ画像に組み込まれて表示される。ライブ画像と撮影済画像が同時に表示されるので、組写真の作成が容易になる。
【０１０１】
通常撮影時には、組画像７００ａとして、左側にライブ画像ＬＶ、右側に撮影済画像ＰＢが表示される。撮影済画像ＰＢで顔が左向きなので、ライブ画像で顔を右向きにすれば、顔の向きを合わせるような組画像を作成することができる。
【０１０２】
自分撮りモードでは、ライブ画像ＬＶがミラー反転表示されるのが、通常撮影時の組画像７００ａのライブ画像ＬＶにミラー反転画像を表示すると、画面上では、撮影済画像ＰＢと向かい合わせの状態にならない。これを見ると、撮影者は混乱してしまう。
【０１０３】
そこで、組画像７００ｂのように、ミラー反転画像のライブ画像ＬＶを右側にして、撮影済画像ＰＢもミラー反転画像にして左側に表示する。即ち、撮影済画像及び組み写真テンプレート（枠構成）もミラー反転する。通常は、モニター２３０が自分撮り位置でも、再生画像はミラー反転させない。組写真の枠画像・撮影済画像もいわば再生画像の一種であるが、ミラー反転させて表示することで、構図の確認が容易になる。
【０１０４】
なお、図１２では、組写真の例として２分割テンプレートの例を示したが、組写真テンプレートには、２分割以外に、３分割あるいは大枠内に小枠で構成するタイプもある。２分割以外のテンプレートの場合でも、撮影済画像及び組み写真テンプレート（枠構成）をミラー反転して表示する。このように自分撮りモードで組画像をミラー反転表示することで、通常撮影時と同様な感覚で、組写真の撮影を行うことができる。自分撮りモードでは、カメラ本体制御部４０は、画像処理部５０に組画像７００ｂのような組画像作成を指示する。
【０１０５】
以上の方向ガイド表示によれば、
・表示制御部７６は、撮影レンズ２０の回転操作（フォーカスリング２４、ズームリング２６）に対応する変化の方向をガイドする方向ガイドの表示を、モニター２３０の表示方向が被写体と逆方向となる場合（通常撮影時）と表示方向が被写体と同じ方向となる場合（自分撮りモード）で、異ならせるよう制御する。これにより、カメラ１への取り扱い姿勢が変わっても、誤操作するおそれがない。
・表示制御部７６は、操作部材７８（ＸＹボタン２１６、コントロールダイヤル３１２）の操作により移動される撮影条件の左右の移動方向を、モニター２３０の表示方向が被写体と逆方向となる場合（通常撮影時）と表示方向が被写体と同じ方向となる場合（自分撮りモード）で、異ならせるよう制御する。これにより、カメラ１への取り扱い姿勢が変わっても、誤操作するおそれがない。
【０１０６】
＜モニター位置に応じた操作部材画像の表示処理＞
次に、図１３、図１４を用いて、図３〜図８で説明した操作部材画像が、モニター２３０の位置に応じて、モニター２３０に表示される処理を説明する。
【０１０７】
図１３は、モニターの回転方向の異なる２種のカメラを示す図である。左側のカメラ１は、モニター２３０が下側に倒れるように、引出されるタイプである。右側のカメラ１ａは、モニター２３０が上側に持ち上げられるように、引出されるタイプである。
【０１０８】
これまで説明では、モニター２３０が下側に倒れるカメラ（カメラ１）を例にしたが、上側にモニター２３０が引き出されるカメラ１ａでも、モニター２３０に操作部材画像を表示することは有効である。また、図は省略するが、モニター２３０が水平に回転して、モニター２３０の表示面が被写体側に向くようなタイプのカメラにも、操作部材画像を表示することは可能である。
【０１０９】
カメラ１及びカメラ１ａにつき、モニター２３０の位置に応じた操作部材画像の表示処理について、以下に説明する。なお、図１３に示すように、モニター２３０が背面部に密着して配置された状態を第１の位置、モニター２３０が回転されて水平になり、表示面２３０ｃが上または下を向いた状態を第２の位置、モニター２３０の表示面２３０ｃが被写体側を向いた状態を第３の位置と呼ぶ。
【０１１０】
図１４は、カメラ１及びカメラ１ａにつき、モニター２３０の位置に応じた操作部材画像や方向ガイドの表示処理の手順を説明するフローチャートである。以下の処理は、主にカメラ本体制御部４０、表示制御部７６、タッチパネル制御部８２等により実行される。
【０１１１】
カメラ本体制御部４０は、撮影モードであるかを判断する（ステップＳ１０）。カメラ本体制御部４０は、撮影モードでないと判断すると（ステップＳ１０Ｎｏ）、再生モードの処理を行う。
【０１１２】
カメラ本体制御部４０は、撮影モードであると判断すると（ステップＳ１０Ｙｅｓ）、カメラ本体制御部４０は、モニター２３０が第１の位置であるかを判断する（ステップＳ１２）。第１の位置は、モニター２３０が背面部２００に密着した位置である（図１３参照）。カメラ本体制御部４０は、位置検出部７４によりモニター２３０の位置を判断する。
【０１１３】
カメラ本体制御部４０は、モニター２３０が第１の位置であると判断すると（ステップＳ１２Ｙｅｓ）、カメラ本体制御部４０は、通常撮影の位置であるので、通常表示を行う（ステップＳ１４）。ステップＳ１４の後は、ステップＳ２６に進む。
【０１１４】
カメラ本体制御部４０は、モニター２３０が第１の位置でないと判断すると（ステップＳ１２Ｎｏ）、モニター２３０が第２の位置であるかを判断する（ステップＳ１６）。第２の位置は、モニター２３０がほぼ水平位置になった状態である（図１３参照）。モニター２３０の表示面２３０ｃが、カメラ１では下向きで、カメラ１ａでは上向きとなる。
【０１１５】
カメラ本体制御部４０は、モニター２３０が第２の位置であると判断すると（ステップＳ１６Ｙｅｓ）、モニター２３０に、背面コピーボタンセット５００ｃ（図４）や、背面ガイドボタンセット５００ｇ（図５）を表示させる（ステップＳ１８）。詳しくは、カメラ本体制御部４０は、モニター２３０が第２の位置であると判断すると（ステップＳ１６Ｙｅｓ）、モニター２３０に、背面コピーボタンセット５００ｃ（図４）や、背面ガイドボタンセット５００ｇ（図５）を表示させる（ステップＳ１８）ように表示制御部７６を制御する。
【０１１６】
なお、図４、図５では、第３の位置（自分撮り位置）に合わせて、背面コピーボタンセット５００ｃ、背面ガイドボタンセット５００ｇをモニター上に配置表示しているが、第２の位置では背面操作部材の配置そのままに、背面操作部材近傍に表示すればよいことは言うまでもない。また、背面コピーボタンセット５００ｃと背面ガイドボタンセット５００ｇは、前述のようにＤＩＳＰボタン４１０により、切換え可能であり、いずれのセットをデフォルトにしてもよい。
【０１１７】
なお、カメラ１ａでの第２の位置では、上面部３００は、撮影者から見える状態であるので、上面コピーボタンセット５１０ｃや上面ガイドボタンセット５１０ｇの表示は不要としてもよい。ステップＳ１８の後は、ステップＳ２６に進む。
【０１１８】
カメラ本体制御部４０は、モニター２３０が第２の位置でないと判断すると（ステップＳ１６Ｎｏ）、モニター２３０が第３の位置であるかを判断する（ステップＳ２０）。
【０１１９】
カメラ本体制御部４０は、モニター２３０が第３の位置であると判断すると（ステップＳ２０Ｙｅｓ）、カメラ本体制御部４０は、ＤＩＳＰボタン４１０で表示切換えされたかを判断する（ステップＳ２２）。なお、カメラ本体制御部４０は、操作部材画像が初めて表示される場合には、ステップＳ２２をスキップして、デフォルトの操作部材画像を表示する。
【０１２０】
カメラ本体制御部４０は、既に操作部材画像が表示された状態で、ＤＩＳＰボタン４１０へのタッチ操作により表示切換えがなされたと判断すると（ステップＳ２２Ｙｅｓ）、モニター２３０に、表示切換えに応じて内容の操作部材画像を表示する（ステップＳ２４）。
【０１２１】
例えば、自撮りボタンセット（図３参照）、背面コピーボタンセット５００ｃ（図４参照）、背面ガイドボタンセット５００ｇ（図５参照）、上面コピーボタンセット５１０ｃ（図６参照）、上面ガイドボタンセット５１０ｇ（図６参照）が、順番に切換えられる。
【０１２２】
また、第３の位置において、カメラ本体制御部４０は、図９等で説明した表示方向を反転した方向ガイドを、操作部材画像と共に表示してもよい。また、カメラ本体制御部４０は、方向ガイドについては、第３の位置において、フォーカスリング２４やズームリング２６が操作された時点で、操作部材画像に重畳して表示するようにしてもよい。
【０１２３】
また、第３の位置において、カメラ本体制御部４０は、図１０で説明したように、フォーカスリング２４、ズームリング２６の回動に対して、カメラの「動作」を反転するよう制御してもよい。
【０１２４】
カメラ本体制御部４０は、ＤＩＳＰボタン４１０へのタッチ操作がないと判断すると（ステップＳ２２Ｎｏ）ステップＳ２６に進む。また、ステップＳ２４の後、及びカメラ本体制御部４０は、モニター２３０が第３の位置でないと判断すると（ステップＳ２０Ｎｏ）、ステップＳ２６に進む。
【０１２５】
タッチパネル制御部８２は、タッチ操作を検出する（ステップＳ２６）。カメラ本体制御部４０は、タッチパネル制御部８２によりタッチ操作が検出されたと判断すると（ステップＳ２６Ｙｅｓ）、タッチ操作に応じた制御を行う（ステップＳ２８）。
【０１２６】
カメラ本体制御部４０は、タッチパネル制御部８２によるタッチ操作が検出されないと判断する場合（ステップＳ２６Ｎｏ）、あるいは、ステップＳ２８の後、ステップＳ３０に進む。
【０１２７】
カメラ本体制御部４０は、検出部８０により操作部材７８への操作が検出されかを判断する（ステップＳ３０）。カメラ本体制御部４０は、操作部材７８への操作が検出されたと判断すると（ステップＳ３０Ｙｅｓ）、操作部材７８への操作に応じた制御を行う（ステップＳ３２）。
【０１２８】
カメラ本体制御部４０は、操作部材７８への操作が検出されないと判断する場合（ステップＳ３０Ｎｏ）、あるいはステップＳ３２の後、ステップＳ１０に戻る。
【０１２９】
以上のように、本実施形態では、表示制御部７６は、モニター２３０が通常位置から表示面が上面あるいは下面を向く位置（第２の位置）に移動された場合には、カメラ本体４の背面部２００に配置された操作部材７８に対応する操作部材画像を表示する。
【０１３０】
また、表示制御部７６は、モニター２３０が通常位置から表示面が被写体側に向く位置（第３の位置）に移動された場合には、カメラ本体４の背面部２００に配置された操作部材７８に対応する操作部材画像、及び／又は、カメラ本体４の上面部３００に配置された操作部材７８に対応する操作部材画像を表示する。
【０１３１】
これにより、操作部材７８が撮影者からブラインドになる姿勢でも、モニター２３０に、操作部材７８の形状やレイアウトを模した操作部材画像を表示することで、カメラの向きを変えたりせずに操作部材７８を探すことができる。また、モニター２３０に、操作部材７８の形状やレイアウトを模した操作部材画像を表示することで、操作部材に触れずに操作することもできる。
【０１３２】
さらに、表示制御部７６は、モニター２３０が通常位置から表示面が被写体側に向く位置に移動された場合には、操作部材画像共にあるいは単独で、通常撮影時と表示方向が反転された方向ガイドを表示してもよい。
【０１３３】
＜自分撮りモードの撮影制御処理＞
また、自分撮りモードでは、通常撮影時とは異なる自分撮りに適した撮影制御処理を行うことで、より自分撮りにふさわしい画像を得ることができる。以下、図１５〜図２４を用いて、自分撮りモードの撮影制御処理について、詳細に説明する。
【０１３４】
図１５は、モニター２３０の回転角度に応じて自分撮り設定を行う手順を説明するフローチャートである。モニター２３０の位置検出部７４が、モニター２３０が回転を検出し、主にカメラ本体制御部４０が実行する処理である。なお、モニター２３０位置の検出に関しては図１４でも説明したが、以下の処理は、図１４の変形例である。
【０１３５】
撮影者がモニター２３０を回転させると、モニター回転検出パルスが出力される。このパルス信号をモニター２３０の位置検出部７４が検出し、カメラ本体制御部４０に通知する。カメラ本体制御部４０は、モニター２３０のタッチパネル制御部８２を介して、タッチパネル８４への入力を無効（禁止）にする（ステップＳ１００）。
【０１３６】
この処理により、撮影者がモニター２３０の引き出し動作をしている間、モニター２３０の表面のタッチパネル入力が禁止され、誤って設定が変更されたり、撮影が実行されることを防止する。本例は、ステップＳ１４と異なり、タッチパネル８４全領域へのタッチ操作を無効にする例である。
【０１３７】
ステップＳ１０２では、モニター２３０の回転が続いているか、終了したかを判断する。回転が続いている間は、モニター回転検出パルスが出力され続けるので、ステップＳ１０２の判断を継続する。一方、モニター２３０の回転が終了すると、モニター回転パルスの出力が停止するので、ステップＳ１０４に進む。
【０１３８】
ステップＳ１０４では、モニター２３０の停止した位置が自分撮り位置、即ち、モニター２３０がカメラ本体４の背面から約１８０°回転した位置であるか否かを判断する。ここでは、図１３で説明したカメラ１ａの第２の位置での処理は省略する。ステップＳ１０４で自分撮り位置でないと判断した場合（Ｎｏの場合）は、ステップＳ１１０に進む。
【０１３９】
ステップＳ１０４でモニター２３０が、自分撮り位置で停止したと判断した場合（Ｙｅｓの場合）には、ステップＳ１０６に進む。ステップＳ１０６では図１６で示される自分撮り設定が事項された後、ステップＳ１０８で自分撮り専用タッチボタンを表示し、ステップＳ１１０でタッチパネル８４を再度有効にする。自分撮り専用タッチボタンは、例えば、図３で示した自撮りボタンセット４００である。
【０１４０】
図１６は、図１５のステップＳ１０６の自分撮り設定の手順を詳細に説明するサブルーチンである。ここでは、自分撮りに特化した設定を実行する。
【０１４１】
ステップＳ１２０では、カメラ本体制御部４０が、レンズ制御部３０、レンズ駆動部３４を介してズームレンズを広角側に駆動する。ここで言う広角側とは、撮影者が手を伸ばして自分の顔が適度な大きさになるような画角の焦点距離であり、例えば標準ズームレンズの広角端（１３５ｍｍ判換算で２８ｍｍ程度の焦点距離）を表している。
【０１４２】
このようにモニター２３０を自分撮り位置に移動させただけで、ズームレンズが自動的に最適な画角に設定されるので、撮影者は不安定なカメラ保持状態でズーミングを行う煩わしさから開放される。尚、本実施形態では交換レンズを想定しているが、レンズ固定式のカメラであってもよいことは言うまでもない。
【０１４３】
ステップＳ１２２では、同様に撮影レンズ２０のフォーカス位置を自動で近距離側に駆動させる。ここで言う近距離側とは、撮影者が手を伸ばした状態で、顔に大まかにピントが合う距離であり、概ね５０ｃｍ程度の距離である。このフォーカス位置の移動により、モニター２３０に表示される被写体像（自分の顔）が大ぼけすることが無いので、即座に構図を決めることができるだけでなく、続くＡＦ（オートフォーカス）に費やす時間を短縮することが可能になる。
【０１４４】
ステップＳ１２４では、ＡＦターゲット制限を行う。カメラ本体制御部４０が、ＡＦ制御部５８にＡＦターゲット制限を指示する。通常、カメラは、画面の大部分のピントをモニターしながらＡＦを実行するが、自分撮りの場合には画面の端部に伸ばした腕にピントが合ったり、背景（画面端部）のコントラストが強い被写体に引っ張られないように、ＡＦ領域を通常よりも中央側に制限するものである。
【０１４５】
ステップＳ１２６では、ＸＹボタン２１６の左ボタンと右ボタンの機能を入れ替える。同様にステップＳ１２８では、コントロールダイヤル３１２の回転方向を反転させる。通常、左右ボタンや、コントロールダイヤルはカメラの背面側から操作することを想定していて、設定メニュー選択の際の左右移動（左ボタン押し、コントロールダイヤル左回転で左に移動／右ボタン押し、コントロールダイヤル右回転で右移動）や、設定値の増減（左ボタン押し、コントロールダイヤル左回転で減／右ボタン押し、コントロールダイヤル右回転で増）は、操作と動作が感覚的に一致するようにしている。
【０１４６】
ところが、自分撮りの場合には、カメラの前面側から操作することになるので、背面側から操作する場合とは操作感覚が反転してしまう。ステップＳ１２６および、ステップＳ１２８の処理は、これらの操作感覚のズレを修正する為の処理で、図１０で説明した処理と同じである。カメラ本体制御部４０は、検出部８０によるＸＹボタン２１６とコントロールダイヤル３１２からの操作指示を、上述のように変更する。
【０１４７】
ステップＳ１３０では、顔検出部６８により顔検出が無効に設定されている場合でも、カメラ本体制御部４０は、顔検出を有効と判断する。自分撮りでは顔を撮影することを前提としている為である。
【０１４８】
ステップＳ１３２では、アイレベルファインダーへの表示を無効にしている。自分撮りでは、撮影者の正対位置に回転させたモニター２３０による構図確認を前提としている為、不用意にアイレベルファインダーに表示が切り替わらないように、ファインダーへの表示を禁止する。
【０１４９】
ステップＳ１３４では、被写体ライブビュー画像をミラー反転表示する。カメラ本体制御部４０は画像処理部５０にミラー反転を指示する。これにより、撮影者（被撮影者）は、見慣れた鏡を見ているのと同じように、構図や表情を自然につくることができるようになる。
【０１５０】
図１７は自分撮りでのタッチパネル操作を説明する為のフローチャートである。モニター２３０が自分撮り位置に設定された際に表示される自分撮り専用タッチボタン（図１５のステップＳ１０８、図３参照）の操作と動作の関係を示している。図１７の処理は、カメラ本体制御部４０がタッチパネル制御部８２からの通知に基づき行う。
【０１５１】
ステップＳ１４０では、シャッターボタン４０４ａがタッチされたか否かを判断する（図３参照）。シャッターボタン４０４ａにタッチされたと判断した場合（Ｙｅｓの場合）には、ステップＳ１４２で遅延時間の経過を待った後、ステップＳ１４４で撮影を行う。
【０１５２】
ステップＳ１４２の遅延時間は、シャッターボタン４０４のタッチ受付後に顔の表情を確認するのに必要な時間（例えば2秒程度）に設定されている。また、この遅延時間中に、シャッターボタン４０４のタッチを受け付けた旨を告知する為に、タッチされたシャッターボタン４０４ａの色、陰影、大きさ等を変更表示したり、発音してもよい。
【０１５３】
通常撮影の場合には、タッチされた位置にピントを合わせてシャッターを切る、所謂タッチＡＦシャッター動作が行われる。自分撮りの場合には、被写体でもある自分の顔位置をタッチすることは、タッチする指で顔を隠すことになるので、モニター２３０で表情を確認することができなくなってしまう。シャッターボタン４０４ａは、主要被写体である自分の顔を隠すことなくタッチできるように、画面の端辺にボタンが設けられている。勿論、上面のシャッターボタン３１４を押して撮影することも可能である。
【０１５４】
ステップＳ１４０で、シャッターボタン４０４ａがタッチされていないと判断した場合（Ｎｏの場合）には、ステップＳ１５０で美肌ボタン４０２ａがタッチされたか否かを判断する。美肌ボタン４０２ａがタッチされた場合には、美肌モードのＯｎとＯｆｆを切り替える（ステップＳ１５２）。美肌モードがＯｎの場合には、撮影時の画像処理で、顔肌のスムージング処理を行い、シワ等を目立たなく仕上げる。
【０１５５】
ステップＳ１５４では、セルフボタン４０６ａがタッチされたか否かを判断する。セルフボタンａがタッチされた場合には、セルフタイマーモードのＯｎとＯｆｆを切り替える（ステップＳ１５６）。セルフタイマー動作の詳細は、後述する。
【０１５６】
以上、ステップＳ１５０からステップＳ１５６で示すように、腕を伸ばして不安定な状態でカメラを把持する自分撮りでは、タッチ操作を、自分撮りに有用な機能をワンタッチで切り替える操作に特化している。
【０１５７】
また、切り替え状態が一目で分かるように、タッチボタンに対応した機能のＯｎ、Ｏｆｆ状態に対応して、タッチボタンの表示形態を切り替えている（図３参照）。例えば、ボタンの近傍にＯｎ、Ｏｆｆの文字を付加表示したり、Ｏｎ、Ｏｆｆそれぞれの場合で、ボタンの色を切り替えたりと言った具合である。
【０１５８】
ところで、自分撮りでも、より詳細に設定を変更したい場合も考えられる。ステップＳ１５８以降は、そのような場合に対応するものである。
【０１５９】
ステップＳ１５８では、ＤＩＳＰボタン４１０がタッチされたか否かを判断し、タッチされた場合（Ｙｅｓの場合）には、ステップＳ１６０で表示の切り替えを行う。具体的には、（１）操作ボタンの表示なし、（２）背面操作ガイド表示（図５の背面ガイドボタンセット５００ｇに相当）、（３）上面操作ガイド表示（図６の上面ガイドボタンセット５１０ｇに相当）、（４）背面操作代替タッチボタン表示（図４の背面コピーボタンセット５００ｃに相当）等の切り替えが行われる。（２）、（３）、（４）は、図４〜６で説明した操作部材画像に相当する表示である。
【０１６０】
ここで、（２）、（３）は、直接目視することのできない背面部２００の操作部材７８、或いは目視し難い上面部３００の操作部材７８のレイアウトをモニター２３０上に表示し、直接操作部材７８を操作する場合の補助を行う表示である。
【０１６１】
また、（４）は背面ボタンのレイアウトそのものをモニター２３０上にタッチボタンとして表示し、操作部材７８を直接操作するのと同等の機能をタッチ操作で代替するものである。
【０１６２】
ステップＳ１６２では、上記（４）の場合とその他の場合で、タッチパネル８４の操作領域を切り替える。ステップＳ１６４は、上記（４）の表示が行われている場合に、タッチパネル８４の操作部材対応ボタン（図４の背面コピーボタンセット５００ｃや図６の上面コピーボタンセット５１０ｃ）がタッチされたか否かを判断する。
【０１６３】
各ボタンのタッチを検出した場合には、ステップＳ１６６で、それぞれの対応ボタンが押された場合と同等の処理を実行する。これにより、通常に背面部２００や上面部３００の操作部材７８ボタンを操作しているのと同じ感覚で、自分撮り時でもタッチパネル８４により、詳細なモード設定が可能になる。
【０１６４】
図１８、図１９を用いて、ＡＦ動作処理を説明する。図１８は、ＡＦ動作処理の手順を説明するフローチャートである。ＡＦ動作処理は、ＡＦ制御部５８、レンズ制御部３０、レンズ位置検出部３２、レンズ駆動部３４等により実行される。シャッターボタン３１４が押されたとき、或いは、タッチパネルでシャッターボタン４０４ａに指示されたときの撮影に先立ち、被写体にピントを合わせるＡＦ（オートフォーカス）が行われる。
【０１６５】
先ず、ステップＳ２００では、撮像部４６に入力された被写体の輝度情報より、ＡＦ制御部５８は、被写体が低輝度か否かを判断する。被写体が低輝度でない場合（Ｎｏの場合）は、ステップＳ２０８に進みそのままＡＦを実行する。
【０１６６】
一方、被写体が低輝度の場合（Ｙｅｓの場合）には、ＡＦ制御部５８は、ステップＳ２０２でモニター２３０が自分撮り位置であるか否かを判断する。そして、ＡＦ制御部５８は、自分撮り位置である場合（Ｙｅｓの場合）のみ、ステップＳ２０４でＡＦ補助光／セルフ発光部１１０のＡＦ補助光の光量制限を行い、ステップＳ２０６に進む。
【０１６７】
ここで、ＡＦ補助光とは、被写体が低輝度の場合に、ＡＦ実行中被写体を照明することでＡＦの精度を上げる為の機能であり、通常ＬＥＤ照明やフラッシュ連続発光照明が用いられる。ＡＦ補助光は距離の分からない被写体を照明する必要がある為、広い照射範囲と照射強度が求められる。
【０１６８】
ステップＳ２０４での補助光光量制限とは、この照射強度に制限をかける処理であり、また、図示しないＬＥＤやフラッシュの反射傘を移動させることで、照射範囲をも限定してもよい。自分撮りの場合、被写体距離は人物が腕を伸ばした程度の距離であることが前提となるので、ＡＦ補助光の強度はこの距離を照明できればよい。また、無用に強い照明では被写体である人物が、眩しさで目をつぶってしまい、良い表情の写真を撮ることができなくなる不都合を抑止することも可能になる。
【０１６９】
このようにして、ＡＦ制御部５８は、ステップＳ２０２で自分撮り位置でないと判断した場合（Ｎｏの場合）は、ステップＳ２０６へ進み、ＡＦ補助光光量制限をかけることなく低輝度被写体を照明し、自分撮りの場合には、ステップＳ２０４で光量を制限した状態で、ステップＳ２０６で被写体を照明することができる。
【０１７０】
さらに、ＡＦ制御部５８は、ステップＳ２０２で、モニター２３０が自分撮り位置であると判断した場合に、ステップＳ２０８に進み、ＡＦ補助光の発光自体を禁止してもよい。ＡＦ制御部５８は、自分撮りの場合には、被写体の距離範囲を想定することができ、また、被写体が動体でないとも想定できるので、この場合には、ＡＦ制御部５８は、撮像制御部４８により撮像感度を上げて低輝度に対応したり、ＡＦ速度を落として精度を上げることで対応する。
【０１７１】
ステップＳ２０８では、図１９で説明するＡＦ実行処理を行う。ステップＳ２１０ではＡＦ補助光を消灯して、ＡＦ処理を終了する。
【０１７２】
図１９は、図１８のステップＳ２０８のＡＦ実行処理の手順を説明するサブルーチンである。本実施形態では、ＡＦ制御部５８は、ＡＦを被写体のコントラストが最大となる位置にレンズを駆動する、所謂コントラストＡＦ方式とするが、位相差ＡＦ方式等、その他の方式でもよい。
【０１７３】
ステップＳ２２０では、ＡＦ制御部５８は、モニター２３０が自分撮り位置であるか否かを判断する。ここで、自分撮りであると判断した場合（Ｙｅｓの場合）には、ＡＦ制御部５８は、ステップＳ２２２でフォーカシングレンズを高速で自分撮り域に移動させる。
【０１７４】
自分撮り域とは、被写体であるところの人物が腕を伸ばした距離程度であり、例えば３０ｃｍ〜８０ｃｍの範囲を予め想定し、フォーカシングレンズが上記の想定範囲外にあった場合には、素早く上記範囲の境界位置まで移動させるものである。この動作により、ＡＦスキャン範囲を限定することができ、合焦までの時間を短縮することが可能になる。
【０１７５】
ステップＳ２２４では、顔検出部６８が、被写界に顔があるか否か、即ち、顔を検出したか否かを判断する。顔検出部６８が、所謂パターンマッチング方式を用いて顔検出を行う。ステップＳ２２４で顔を検出した場合（Ｙｅｓの場合）には、ＡＦ制御部５８は、ステップＳ２２６で顔を検出した領域にＡＦコントラスト判定領域を限定する。
【０１７６】
また、顔を検出しなかった場合（Ｎｏの場合）には、ＡＦ制御部５８は、ステップＳ２２８で被写界全域にＡＦコントラスト判定領域を設定する。ＡＦコントラスト判定領域を顔検出領域に限定した場合には、コントラスト判定時間を短縮でき、また、正確に顔の位置に合焦させることができる。また、被写界全域にＡＦコントラスト判定領域を設定した場合には、ＡＦ制御部５８は、最も至近側のコントラストピーク領域を合焦領域と判定する。
【０１７７】
ステップＳ２３０では、ＡＦ制御部５８は、コントラストが高くなる方向にフォーカシングレンズを駆動する。そして、ステップＳ２３２でコントラストがピークに到達したか否かを判定する。ＡＦ制御部５８は、コントラストがピークに達したと判断した場合（Ｙｅｓの場合）には、ステップＳ２３４に進み、フォーカシングレンズを停止させ、ＡＦ動作を終了する。一方、ＡＦ制御部５８は、コントラストがピークに達していないと判断した場合（Ｎｏの場合）には、ステップＳ２２４に戻り、上記の処理を繰り返す。
【０１７８】
ここで、ステップＳ２２４の顔検出処理を繰り返す理由を説明する。自分撮りでは、被写界に必ず顔が存在するはずである。ところが、顔検出のパターンマッチングでは、ピントが大きくずれてボケていた場合に、顔パターンを検出できないことがある。
【０１７９】
ステップＳ２２２での処理により、自分撮りの場合にはフォーカシング領域を狭くしているので、顔パターンを検出できないような大きなボケ状態にはなりにくいが、それでも被写界深度の浅い近距離での撮影であるため、顔パターンを検出できない場合が起こり得る。そこで、レンズを駆動するに従って、被写体コントラストが上がり、途中で顔を検出することができた場合には、ＡＦ制御部５８は、ＡＦターゲット領域を顔位置に移動し、顔に確実にピントを合わせることができるようにする。
【０１８０】
以上、図１９を用いて説明したＡＦ動作を模式的に表したグラフが図２０である。図２０は最初にフォーカシングレンズが無限遠位置にあった場合を表している。また、通常のＡＦ駆動を破線で、自分撮りＡＦ駆動を実線で表している。
【０１８１】
破線で示す通常ＡＦでは、無限遠位置からコントラストを比較しながらのフィードバック駆動を行う為、レンズの移動速度はＡＦデータ読み出し速度やコントラスト比較判定処理速度で律速してしまう。
【０１８２】
ところが、実線で示す自分撮りＡＦでは、自分撮り最遠方位置までオープンループの最高速度でフォーカシングレンズを移動させることができる為、同じ被写体距離であった場合のＡＦ速度は格段に速くなる。また、実線で示したように、被写界のコントラスト上昇により、ＡＦ中に顔を検出した場合には、ターゲット位置を変更することで、背景の高コントラスト被写体に引きずられることなく、確実に顔位置にピントを合わせることができる。
【０１８３】
図２０では、フォーカシングレンズの初期位置が無限遠であった場合を説明したが、初期位置が最至近側にあった場合でも、或いは、自分撮りＡＦ駆動範囲外にあった場合でも同様の効果を得ることができることは言うまでもない。
【０１８４】
図２１、図２２を用いて、顔検出処理の説明をする。顔検出の結果は、図１９で説明したＡＦの位置を指定する他、測光時の逆光判定により顔がつぶれないように露出を補正したり、図２３で後述する撮影シーンの判定に用いたり、或いは、画像の顔領域を滑らかに仕上げる等、ポートレート撮影をあらゆる場面でサポートする重要な機能である。
【０１８５】
従って、顔の検出ミス、即ち顔が無いのに誤って顔を検出した場合や、顔があるにもかかわらず、顔が無いものと判定すると、ピンボケや露出不良等の失敗写真を撮影してしまうことになりかねない。とりわけ、自分撮りは、顔を撮影することが前提となるので、通  常の撮影の場合と比べて、確実に顔を検出する必要がある。
【０１８６】
図２１は、顔検出の初期化の手順を説明するフローチャートである。この顔検出初期化処理は、パワーオン時、撮影モード変更時、モニター２３０回転検出時、撮影終了時等に実行される。顔検出初期化処理は、顔検出部６８により実行される。
【０１８７】
ステップＳ３００、ステップＳ３０２、ステップＳ３０４では、顔検出部６８は、顔有効判定フラグ、顔検出カウンタ、顔未検出カウンタをそれぞれクリアする。顔有効判定フラグは撮影画面内に有効な顔を検出した場合にセットされるフラグであり、このフラグの状態を持って、各場面で顔の有無の判断を行う。また、顔検出カウンタ、顔未検出カウンタは、顔検出結果の有効性を判断する為に、顔検出状態、或いは顔未検出状態の継続性を計数するためのカウンタである。
【０１８８】
ステップＳ３０６では、顔検出部６８は、カメラが自分撮り状態であるか否かを判断する。顔検出部６８は、ステップＳ３０６で自分撮りと判断した場合には、ステップＳ３０８で顔評価基準を「低」に設定し、ステップＳ３１０で顔検出判定定数Ｎを設定し、ステップＳ３１２で顔未検出判定定数Ｍを設定する。
【０１８９】
一方、顔検出部６８は、ステップＳ３０６で自分撮りではないと判断した場合には、ステップＳ３１４で顔評価基準を「高」に設定する。そして、顔検出部６８は、ステップＳ３１６で顔検出判定定数ｎを設定し、ステップＳ３１８で顔未検出判定定数ｍを設定する。
【０１９０】
ここでの各設定は、後述するように自分撮りでの顔検出を確実にする為の処理である。ステップＳ３０８、ステップＳ３１４で設定する顔評価基準は、画像内の顔パターンを判定する基準である。この基準が高くなるほど、精密にパターンマッチングを行うので、顔検出部６８による処理時間が長くなる。この場合、顔の誤検出の確率（物を顔と判断してしまう）は低下するが、一方、見落とし確率（顔を顔でないと判断する）も上がってしまう。また逆に、基準を低くすると、処理時間は短く、見落とし確率は低下するが、顔の誤検出の確率が上昇する傾向となる。
【０１９１】
ところで、自分撮りでは画面内に顔があることが前提となるので、顔の検出率を上げる（見落とし確率を下げる）必要がある。そこで、顔検出部６８は、誤検出のリスクよりも、高い検出率を優先させ、顔評価基準を「低」に設定する。こうすることで、顔検出部６８は、顔が横を向いていたり、或いはうつむいているような場合でも確実に顔を検出できるようになる。但し、顔の大きさに関しては、レンズの焦点距離に応じて厳しく設定するようにしている。撮影者が腕を伸ばした状態で撮影できる距離には制限があるので、焦点距離（画角）によって、顔の大きさも制限することができる。小さな顔は主要被写体ではなく、背景の人物であることが自明だからである。
【０１９２】
ステップＳ３１０、ステップＳ３１６で、顔検出部６８が設定する顔検出判定定数、ステップＳ３１２、ステップＳ３１８で顔検出部６８が設定する顔未検出定数は、顔検出、顔未検出のヒステリシスを設定する定数である。即ち、設定された回数、連続して顔が検出された場合、或いは検出されなかった場合に、顔有効判定フラグをセット、クリアする為の判定基準となる。
【０１９３】
ここでは、Ｎ≦ｎ、ｍ≦Ｍとしている。これにより自分撮り時は、通常撮影時に比べて、検出した顔を有効と判定しやすく、また、一旦有効と判定した顔を無効判定し難くしている。このことは、図２２で説明する。
【０１９４】
図２２は、図２１で設定した条件に応じた顔検出処理の手順を説明する為のフローチャートである。本処理は、カメラが撮影待機状態（ライブビューが表示されている状態）やＡＦ中等に定期的に実行される。特に、図１９、図２０で説明したＡＦ中はＡＦデータ取り込みに同期させるなどして、短周期で実行される。
【０１９５】
ステップＳ３３０では、顔検出部６８は、画像中の顔パターンマッチングにより顔評価値を算出する。具体的には、画像中に顔輪郭（略円形）、両眼、口の有無、大きさ等による顔らしさを数値化するものである。
【０１９６】
先に説明したように、自分撮りの場合には、大きさは所定値以上、片眼でも可、パターンバランス（眼、口の位置関係）の許容幅を大きくする等の条件が加味される。
【０１９７】
ステップＳ３３２では、顔検出部６８は、算出した顔評価値が顔判断基準以上か否かを判断する。顔検出部６８は、顔評価値が顔判断基準以上である場合（Ｙｅｓの場合）には、顔を検出したことになるので、ステップＳ３３４で顔検出カウンタに１加算し、ステップＳ３３６で顔未検出カウンタをリセットする。
【０１９８】
ステップＳ３３８では、顔検出部６８は、顔検出カウンタの値が顔検出判定定数、即ち、図２１で設定したＮ（或いはｎ）以上になったか否かを判定する。顔検出カウンタの値が、Ｎ（或いはｎ）以上になった場合（Ｙｅｓの場合）には、Ｎ回（或いはｎ回）連続して顔が検出されたことを意味するので、ステップＳ３４０で、顔検出部６８は、顔有効判定フラグをセットして顔検出処理を終了する。一方、ステップＳ３３８で、顔検出カウンタの値が、Ｎ（或いはｎ）未満であった場合（Ｎｏの場合）は、顔検出部６８は、そのまま顔検出処理を終了する。
【０１９９】
また、ステップＳ３３２で、顔評価値が顔判断基準未満の場合（Ｎｏの場合）には、顔を検出しなかったことになるので、顔検出部６８は、ステップＳ３４２で顔未検出カウンタに１加算し、ステップＳ３４４で顔検出カウンタをリセットする。
【０２００】
ステップＳ３４６では、顔検出部６８は、顔未検出カウンタの値が顔未検出判定定数、即ち、図２１で設定したＭ（或いはｍ）以上になったか否かを判定する。顔未検出カウンタの値が、Ｍ（或いはｍ）以上になった場合（Ｙｅｓの場合）には、Ｍ回（或いはｍ回）連続して顔が検出されなかったことを意味するので、顔検出部６８は、ステップＳ３４８で顔有効判定フラグをクリアして顔検出処理を終了する。一方、ステップＳ３４６で、顔未検出カウンタの値が、Ｍ（或いはｍ）未満であった場合（Ｎｏの場合）は、顔検出部６８は、そのまま顔検出処理を終了する。
【０２０１】
このように、撮影条件によって決定される条件で、撮影条件によって決定される所定回数連続して、顔が検出された場合に初めて顔判定が有効と判断され、また、一旦有効と判定された顔は、同様に撮影条件によって決まる所定回数連続して無効判定されない限り無効と判定されないようになる。
【０２０２】
以上説明したように、自分撮りの場合には、画面内にある程度以上の顔が在るはずなので、顔を検出し易く、また、一旦検出した顔を見失い難くすることが可能になる。
【０２０３】
図２３は、自動シーン判定処理の手順を説明するフローチャートである。撮影モードダイヤル３１０が「ＡＵＴＯ」位置に設定されると、カメラは被写体の輝度、距離、顔検出結果等により、撮影シーンを自動的に判定し、撮影に最適な設定を行うが、ここでも、自分撮りであるか否かによって、シーン判定を変更するようにしている。自動シーン判定処理は、カメラ本体制御部４０により、顔検出部６８、露出制御部６２、ＡＦ制御部５８を制御して行われる。
【０２０４】
ステップＳ４００では、カメラ本体制御部４０は、顔検出部６８により顔を検出したか否かを判断する。即ち、図２２で顔有効判定がなされたか否かを判断する。カメラ本体制御部４０は、顔を検出した場合（Ｙｅｓの場合）には、ステップＳ４０４で顔の距離が近いか否かを判断する。ここで、カメラ本体制御部４０は、距離の判断をＡＦによるレンズの位置検出等で行う。
【０２０５】
ここで、カメラ本体制御部４０は、顔の距離が近いと判断した場合（Ｙｅｓの場合）には、ステップＳ４０６で自分撮りか否かを判断する。即ち、カメラ本体制御部４０は、モニター２３０がレンズ側を向いているか否かを判断する。
【０２０６】
そして、自分撮りでない場合（Ｎｏの場合）には、カメラ本体制御部４０は、ステップＳ４１４でシーンがポートレートシーンであると決定する。つまり、自分撮りでなく、顔検出距離が近い場合には、ポートレート撮影であると判定される。この場合には、カメラ本体制御部４０は、顔位置でＡＦを実行し、絞りを開放にして、背景をぼかすように設定する。さらに、カメラ本体制御部４０は、感度を低く抑えて顔をきめ細かく撮影するなど、ポートレート撮影に最適な条件を露出制御部６２に自動設定する。
【０２０７】
次にステップＳ４０６で、カメラ本体制御部４０は、自分撮りであると判断した場合（Ｙｅｓの場合）、顔検出部６８は、ステップＳ４０８で顔が中央にあるか否かを判断する。顔検出部６８は、顔が中央にある場合（Ｙｅｓの場合）は、ステップＳ４１０で顔の大きさを判断する。カメラ本体制御部４０は、顔が大きい場合（Ｙｅｓの場合）には、ステップＳ４１４でシーンがポートレートシーンであると決定する。つまり、自分撮りの場合でも、顔を画面の中央に、かつ大きく構図を決めた場合には、顔を奇麗に写すことを最優先とする。
【０２０８】
一方、ステップＳ４０４で、カメラ本体制御部４０は、顔の距離が近くない場合（Ｎｏの場合）、ステップＳ４０８で顔が中央に無い場合（Ｎｏの場合）、ステップＳ４１０で顔が大きくない場合（Ｎｏの場合）には、ステップＳ４１２に進み、被写界が明るいか否かを判断する。
【０２０９】
カメラ本体制御部４０は、被写体が明るい場合（Ｙｅｓの場合）には、ステップＳ４１６で、シーンが人物風景であると決定し、暗い場合（Ｎｏの場合）には、ステップＳ４１８で、シーンが夜景人物であると決定する。つまり、顔の距離が近くない場合、または、自分撮りで顔が中央になかったり、画面の占有率が大きくない場合には、カメラ本体制御部４０は、背景にもピントが合った写真を撮影できるようにする。
【０２１０】
具体的には、カメラ本体制御部４０は、露出制御部６２により被写界深度をかせげるような絞りを設定する。また、カメラ本体制御部４０は、風景か夜景かにより、感度や逆光時の露出補正、フラッシュのシンクロ方法等を最適に設定する。
【０２１１】
以上のように、自分撮りの場合には、背景も考慮したシーン判定が行われるようになる。
ステップＳ４００で、カメラ本体制御部４０は、顔を検出しなかった場合（Ｎｏの場合）、ステップＳ４０２で自分撮りであるか否かを判断する。そして、カメラ本体制御部４０は、自分撮りであると判断した場合（Ｙｅｓの場合）には、ステップＳ４１２に分岐する。
【０２１２】
そもそも、自分撮りでは画面内に顔があることを前提としているので、この判断により、顔が検出されていなかった場合でも、途中で顔が検出された場合を想定して、リカバーできるようにする。
【０２１３】
ステップＳ４０２で、カメラ本体制御部４０は、自分撮りではないと判断した場合（Ｎｏの場合）には、ステップＳ４２０以降で、被写体距離（ステップＳ４２０）や輝度情報（ステップＳ４２２）により、マクロ撮影（ステップＳ４２４）、風景撮影（ステップＳ４２６）、夜景撮影（ステップＳ４２８）を決定し、それぞれに最適な自動設定を行う。
【０２１４】
図２４は、セルフタイマー撮影処理の手順を説明するフローチャートである。ここで、セルフタイマー撮影とは、シャッターボタン３１４（あるいはタッチパネル８４のシャッターボタン４０４ａ）を押した後、実際の撮影までに遅延時間を設けた公知の撮影モードであり、予め設定したコマ数の撮影が繰り返し行われるようになっている。セルフタイマー撮影は、カメラ本体制御部４０により、顔検出部６８、露出制御部６２、ＡＦ制御部５８、表示制御部７６等を制御して行われる。
【０２１５】
ステップＳ５００ではＡＦを行う。シャッターボタン３１４が押し込まれあるいはタッチパネル８４のシャッターボタン４０４ａがタッチされ、セルフタイマー撮影を開始した時点で、ＡＦ制御部５８により一旦ピント位置が固定される。
【０２１６】
ステップＳ５０２では、カメラ本体制御部４０は、セルフタイマーの計時を開始する。ここで、図示していないがタイマーは、撮影者が１秒から１５秒程度の範囲で、自在に設定できることを想定している。また、カメラ本体制御部４０は、通常は最初の１コマ目は１０秒程度、２コマ目以降は２秒程度に、自分撮りの場合には全コマ２秒程度に自動設定するようにしてもよい。
【０２１７】
ステップＳ５０４では、カメラ本体制御部４０は、自分撮りであるか否かを判断する。カメラ本体制御部４０は、自分撮りであると判断した場合（Ｙｅｓの場合）には、ステップＳ５０６でカメラの前面にあるＡＦ補助光／セルフ発光部１１０（本実施形態ではＡＦ補助光と兼用）の発光を禁止する。
【０２１８】
ステップＳ５０８で、カメラ本体制御部４０は、レンズ側に向いたモニター２３０上に、セルフタイマーがスタートしたことを撮影者に告知すべく、適当なインジケータ（不図示）を表示する。ここではセルフタイマーモードアイコンの色を変更したり、撮影までの秒時をカウントダウン表示する等、その形態は問わない。
【０２１９】
一方、ステップＳ５０４で、カメラ本体制御部４０は、自分撮りではないと判断した場合（Ｎｏの場合）には、ステップＳ５１０で、カメラ前面のＬＥＤを点灯、或いは点滅させ、セルフタイマーがスタートしたことを撮影者に告知する。
【０２２０】
ステップＳ５１２では、カメラ本体制御部４０は、セルフタイマーの計時が終了したか否かを判断し、終了していない場合（Ｎｏの場合）には、ステップＳ５０４に戻って、ステップＳ５０４からステップＳ５１０の処理を繰り返す。一方、カメラ本体制御部４０は、計時が終了したと判断した場合（Ｙｅｓの場合）には、ステップＳ５１４に進む。
【０２２１】
以上の処理によれば、カメラ本体制御部４０は、自分撮りの場合には、セルフタイマー計時中に、被撮影者に近距離で対面したＬＥＤが発光しないので、ＬＥＤの眩しさで、撮影者自身が、表情が険しくなってしまったり、目を瞑ってしまうことを回避することができる。一方、自分撮りでない場合には、遠方からも確認可能なＬＥＤ表示により、被撮影者が遠方にいる場合でも、セルフタイマーの動作状態を容易に確認することが可能になる。
【０２２２】
ステップＳ５１４では、カメラ本体制御部４０は、撮影直前に再度、自分撮りであるか否かを判断する。ステップＳ５１４で、カメラ本体制御部４０は、自分撮りと判断した場合（Ｙｅｓの場合）、ステップＳ５１６で再度ＡＦを実行し、ステップＳ５１８に進む。
【０２２３】
一方、カメラ本体制御部４０は、ステップＳ５１４で自分撮りではないと判断した場合（Ｎｏの場合）には、そのままステップＳ５１８に進み、撮影を実行する。つまり、カメラ本体制御部４０は、自分撮りの場合には、ステップＳ５００のＡＦで合わせたピント位置で撮影するのではなく、撮影の直前に実行した（ステップＳ５１６）ピント位置で撮影することになる。
【０２２４】
自分撮りの場合には、撮影距離が、被撮影者（撮影者と同一）が腕を伸ばした程度の近距離であることが想定される為、被写界深度が浅くなり、ピントが厳しくなりがちである。さらに、検出した瞳にピントを合わせる公知のＡＦ方式を使った場合には、タイマー計時中の被撮影者の動きに起因する微小なピントのズレが、人物の表情を台無しにしてしまうことすら考えられる。
【０２２５】
ステップＳ５１６の撮影直前ＡＦにより、上記のような不具合を解消し、常に最適なピントで、表情を変えながらの自分撮影を行うことが可能になる。
【０２２６】
ステップＳ５１８で撮影が終了した後、カメラ本体制御部４０は、ステップＳ５２０では設定された回数の撮影が終了したか否かを判断する。カメラ本体制御部４０は、設定された回数の撮影が終了した場合には（Ｙｅｓの場合）、セルフタイマー撮影を終了する。
【０２２７】
一方、設定された回数の撮影が終了していない場合（Ｎｏの場合）には、カメラ本体制御部４０は、ステップＳ５０２に戻って、セルフタイマー撮影を継続する。
【０２２８】
なお、上記実施形態では、カメラ本体制御部４０を、制御プログラムを読込んだＣＰＵによるソフトウェア処理により実現されるものでとして説明したが、一部またはすべてをハードウェアで構成するようにしてもよい。また、本実施形態に係る制御装置が搭載される機器として、カメラを例にしたが、カメラに限らず、手持ちで取り扱い可能な表示部付の情報処理機器であれば、本実施形態に係る制御装置は適用される。
【０２２９】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【０２３０】
１    カメラ
２    レンズ部
４    カメラ本体  
２０  撮影レンズ
２２  絞り
２４  フォーカスリング
２６  ズームリング
２８  回転検出部
３０  レンズ制御部
３２  レンズ位置検出部
３４  レンズ駆動部
３６  絞り制御部
４０  カメラ本体制御部
４２  メモリ
４４  シャッター
４６  撮像部
４８  撮像制御部
５０  画像処理部
５８  ＡＦ制御部
６２  露出制御部
６４  シャッター制御部
６６  フラッシュ
６８  顔検出部
７０  ファインダー
７４  位置検出部
７６  表示制御部
７８  操作部材
８０  検出部
８２  タッチパネル制御部
８４  タッチパネル    
【図１４】
2016048306.tif 000003
【図１５】
2016048306.tif 000004
【図１６】
2016048306.tif 000005
【図１７】
2016048306.tif 000006
【図１８】
2016048306.tif 000007
【図１９】
2016048306.tif 000008
【図２１】
2016048306.tif 000009
【図２２】
2016048306.tif 000010
【図２３】
2016048306.tif 000011
【図２４】
2016048306.tif 000012
【図１】
2016048306.tif 000013
【図２】
2016048306.tif 000014
【図３】
2016048306.tif 000015
【図４】
2016048306.tif 000016
【図５】
2016048306.tif 000017
【図６】
2016048306.tif 000018
【図７】
2016048306.tif 000019
【図８】
2016048306.tif 000020
【図９】
2016048306.tif 000021
【図１０】
2016048306.tif 000022
【図１１】
2016048306.tif 000023
【図１２】
2016048306.tif 000024
【図１３】
2016048306.tif 000025
【図２０】
2016048306.tif 000026